(57)【要約】  基地局装置と通信する端末装置であって、第１のセルグループ内のサービングセルのＰＤＳＣＨに対するＨＡＲＱ−ＡＣＫを前記第１のセルグループ内の第１のサービングセルのＰＵＣＣＨを用いて送信し、第２のセルグループ内のサービングセルのＰＤＳＣＨに対するＨＡＲＱ−ＡＣＫを前記第２のセルグループ内の第２のサービングセルのＰＵＣＣＨを用いて送信し、前記第１のセルグループ内の第１のバンドのサービングセルと第２のバンドのサービングセルとで異なるＵＬ−ＤＬ設定を用いるＣＡをサポートするかを示す第１の情報と、前記第１のバンドのサービングセルと前記第２のセルグループ内のサービングセルとで異なるＵＬ−ＤＬ設定を用いるＣＡをサポートするかを示す第２の情報と、を含む情報を前記基地局装置に送信する。
2016121850.tif 000002
【特許請求の範囲】
【請求項１】
基地局装置と通信する端末装置であって、
第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記基地局装置に送信し、
第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置に送信し、
前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、
前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記基地局装置に送信する送信部を備える
端末装置。
【請求項２】
前記第２のセルグループに含まれるサービングセルは、前記第１のバンドとは異なるバンドのサービングセルである
請求項１に記載の端末装置。
【請求項３】
端末装置と通信する基地局装置であって、
第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信し、
第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信し、
前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、
前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信する受信部を備える
基地局装置。
【請求項４】
前記第２のセルグループに含まれるサービングセルは、前記第１のバンドとは異なるバンドのサービングセルである
請求項３に記載の基地局装置。
【請求項５】
基地局装置と通信する端末装置に実装される集積回路であって、
第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記基地局装置に送信する機能と、
第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置に送信する機能と、
前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、
前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記基地局装置に送信する機能と、を含む一連の機能を前記端末装置に発揮させる
集積回路。
【請求項６】
前記第２のセルグループに含まれるサービングセルは、前記第１のバンドとは異なるバンドのサービングセルである
請求項５に記載の集積回路。
【請求項７】
端末装置と通信する基地局装置に実装される集積回路であって、
第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信する機能と、
第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信する機能と、
前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、
前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信する機能と、を含む一連の機能を前記基地局装置に発揮させる
集積回路。
【請求項８】
前記第２のセルグループに含まれるサービングセルは、前記第１のバンドとは異なるバンドのサービングセルである
請求項７に記載の集積回路。
【請求項９】
基地局装置と通信する端末装置に用いられる通信方法であって、
第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記基地局装置に送信し、
第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置に送信し、
前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、
前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記基地局装置に送信する
通信方法。
【請求項１０】
前記第２のセルグループに含まれるサービングセルは、前記第１のバンドとは異なるバンドのサービングセルである
請求項９に記載の通信方法。
【請求項１１】
端末装置と通信する基地局装置に用いられる通信方法であって、
第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信し、
第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信し、
前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、
前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信する
通信方法。
【請求項１２】
前記第２のセルグループに含まれるサービングセルは、前記第１のバンドとは異なるバンドのサービングセルである
請求項１１に記載の通信方法。
【発明の詳細な説明】
【技術分野】
【０００１】
本発明は、端末装置、基地局装置、集積回路、および、通信方法に関する。
本願は、２０１５年１月２９日に、日本に出願された特願２０１５−０１４９９２号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている（非特許文献１、非特許文献２、非特許文献３、非特許文献４、および、非特許文献５）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰにおいて、端末装置が５つまでのサービングセル（コンポーネントキャリア）において、同時に送信、および／または、受信を行うことができるキャリアアグリゲーションが仕様化されている。【０００５】
また、３ＧＰＰにおいて、端末装置が５つを超えたサービングセル（コンポーネントキャリア）において、同時に送信、および／または、受信を行うことが検討されている（非特許文献１）。さらに、端末装置が、プライマリーセル以外のサービングセルであるセカンダリーセルにおいて、物理上りリンク制御チャネルでの送信を行うことが検討されている（非特許文献６）。
【先行技術文献】
【非特許文献】
【０００６】
【非特許文献１】"3GPP TS 36.211 V12.4.0 (2014-12) Evolved Universal Terrestrial Radio Access (E-UTRA); Physical channels and modulation (Release 12)", 6th-January 2015.
【非特許文献２】"3GPP TS 36.212 V12.3.0 (2014-12) Evolved Universal Terrestrial Radio Access (E-UTRA); Multiplexing and channel coding (Release 12)", 6th-January 2015.
【非特許文献３】"3GPP TS 36.213 V12.4.0 (2014-12) Evolved Universal Terrestrial Radio Access (E-UTRA); Physical layer procedures (Release 12)", 7th-January 2015.
【非特許文献４】"3GPP TS 36.321 V12.4.0 (2014-12) Evolved Universal Terrestrial Radio Access (E-UTRA); Medium Access Control (MAC) protocol specification (Release 12)", 5th-January 2015.
【非特許文献５】"3GPP TS 36.331 V12.4.1 (2014-12) Evolved Universal Terrestrial Radio Access (E-UTRA); Radio Resource Control (RRC); Protocol specification (Release 12)", 7th-January 2015.
【非特許文献６】"New WI proposal: LTE Carrier Aggregation Enhancement Beyond5 Carriers", RP-142286, Nokia Corporation, NTT DoCoMo Inc., Nokia Networks, 3GPP TSG RAN Meeting #66, Hawaii, United States of America, 8th - 11th December 2014.
【発明の概要】
【発明が解決しようとする課題】
【０００７】
しかしながら、上述のような無線通信システムにおいて、上りリンク制御情報を送信する際の処理について、具体的な方法は十分に検討されていない。【０００８】
本発明のいくつかの態様は上記の点に鑑みてなされたものであり、その目的は、複数のセル（コンポーネントキャリア）を用いて効率的に通信することができる端末装置、基地局装置、集積回路、および、通信方法を提供することを目的とする。
【課題を解決するための手段】
【０００９】
（１）上記の目的を達成するために、本発明のいくつかの態様は、以下のような手段を講じた。すなわち、本発明の一態様による端末装置は、基地局装置と通信する端末装置であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記基地局装置に送信し、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置に送信し、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記基地局装置に送信する送信部を備えていてもよい。【００１０】
（２）また、本発明の一態様による基地局装置は、端末装置と通信する基地局装置であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信し、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信し、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信する受信部を備えていてもよい。【００１１】
（３）また、本発明の一態様による集積回路は、基地局装置と通信する端末装置に実装される集積回路であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記基地局装置に送信する機能と、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置に送信する機能と、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記基地局装置に送信する機能と、を含む一連の機能を前記端末装置に発揮させてもよい。【００１２】
（４）また、本発明の一態様による集積回路は、端末装置と通信する基地局装置に実装される集積回路であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信する機能と、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信する機能と、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信する機能と、を含む一連の機能を前記基地局装置に発揮させてもよい。【００１３】
（５）また、本発明の一態様による通信方法は、基地局装置と通信する端末装置に用いられる通信方法であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記基地局装置に送信し、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置に送信し、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記基地局装置に送信してもよい。【００１４】
（６）また、本発明の一態様による通信方法は、端末装置と通信する基地局装置に用いられる通信方法であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信し、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信し、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信してもよい。
【発明の効果】
【００１５】
この発明のいくつかの態様によれば、上りリンク制御情報を効率的に送信することができる。
【図面の簡単な説明】
【００１６】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態におけるＰＵＣＣＨセルグループを説明する図である。
【図８】本実施形態におけるＵＬ−ＤＬ設定の一例を示す表である。
【図９】本実施形態の端末装置１の構成を示す概略ブロック図である。
【図１０】本実施形態の基地局装置３の構成を示す概略ブロック図である。
【図１１】本実施形態におけるUECapabilityInformationの送信に関するシーケンスチャートである。
【図１２】本実施形態のUECapabilityInformationに含まれる情報／パラメータを示す図である。
【図１３】本実施形態のSupportedBandCombinationに含まれる情報／パラメータを示す図である。
【図１４】本実施形態のBandParametersに含まれる情報／パラメータを示す図である。
【図１５】本実施形態のRF-Parametersの一例を示す図である。
【発明を実施するための形態】
【００１７】
以下、本発明の実施形態について説明する。
【００１８】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１９】
本実施形態における物理チャネルおよび物理信号について説明する。
【００２０】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２１】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（Channel State Information: CSI）が含まれてもよい。また、上りリンク制御情報には、ＵＬ−ＳＣＨリソースを要求するために用いられるスケジューリング要求（Scheduling Request: SR）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示す。
【００２２】
すなわち、ＨＡＲＱ−ＡＣＫは、ＡＣＫ（acknowledgement）またはＮＡＣＫ（negative-acknowledgement）を示す。ここで、ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００２３】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。すなわち、ＰＵＳＣＨは、上りリンク制御情報のみを送信するために用いられてもよい。
【００２４】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２５】
ＰＵＳＣＨは、ＲＲＣシグナリング、および、ＭＡＣコントロールエレメントを送信するために用いられる。ここで、基地局装置３から送信されるＲＲＣシグナリングは、セル内における複数の端末装置１に対して共通のシグナリングであっても良い。また、基地局装置３から送信されるＲＲＣシグナリングは、ある端末装置１に対して専用のシグナリング（dedicated signalingとも称する）であっても良い。すなわち、ユーザ装置スペシフィック（ユーザ装置固有）な情報は、ある端末装置１に対して専用のシグナリングを用いて送信される。
【００２６】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられる。
【００２７】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００２８】
本実施形態において、以下の２つのタイプの上りリンク参照信号が用いられる。
・ＤＭＲＳ（Demodulation Reference Signal）
・ＳＲＳ（Sounding Reference Signal）
【００２９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３０】
ＳＲＳは、ＰＵＳＣＨまたはＰＵＣＣＨの送信に関連しない。基地局装置３は、上りリンクのチャネル状態を測定するためにＳＲＳを使用する。
【００３１】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３２】
ＰＢＣＨは、端末装置１で共通に用いられるマスターインフォメーションブロック（Master Information Block: MIB, Broadcast Channel: BCH）を報知するために用いられる。
【００３３】
ＰＣＦＩＣＨは、ＰＤＣＣＨの送信に用いられる領域（ＯＦＤＭシンボル）を指示する情報を送信するために用いられる。
【００３４】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３５】
ＰＤＣＣＨおよびＥＰＤＣＣＨは、下りリンク制御情報（Downlink Control Information: DCI）を送信するために用いられる。
【００３６】
ＰＤＳＣＨは、下りリンクデータ（Downlink Shared Channel: DL-SCH）を送信するために用いられる。また、ＰＤＳＣＨは、システムインフォメーションメッセージを送信するために用いられる。システムインフォメーションブメッセージは、セルスペシフィック（セル固有）な情報であってもよい。ここで、システムインフォメーションは、ＲＲＣシグナリングに含まれる。ＰＤＳＣＨは、ＲＲＣシグナリング、および、ＭＡＣコントロールエレメントを送信するために用いられる。
【００３７】
ＰＭＣＨは、マルチキャストデータ（Multicast Channel: MCH）を送信するために用いられる。
【００３８】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００３９】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００４０】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００４１】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００４２】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００４３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４４】
以下、キャリアアグリゲーションについて説明する。
【００４５】
図１において、端末装置１に対して、１つまたは複数のサービングセルが設定されてもよい。端末装置１が複数のサービングセルを介して通信する技術をセルアグリゲーション、または、キャリアアグリゲーションと称する。ここで、端末装置１に対して設定される１つまたは複数のサービングセルのそれぞれにおいて、本発明が適用されてもよい。また、端末装置１に対して設定される１つまたは複数のサービングセルの一部において、本発明が適用されてもよい。また、後述する、端末装置１に対して設定される１つまたは複数のサービングセルのグループのそれぞれにおいて、本発明が適用されてもよい。また、端末装置１に対して設定される１つまたは複数のサービングセルのグループの一部において、本発明が適用されてもよい。
【００４６】
また、図１に示される無線通信システムにおいて、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００４７】
ここで、設定される１つまたは複数のサービングセルには、１つのプライマリーセルと、１つまたは複数のセカンダリーセルとが含まれる。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００４８】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００４９】
端末装置１は、１つまたは複数のサービングセル（コンポーネントキャリア）において、同時に複数の物理チャネルでの送信、および／または受信を行うことができる。ここで、１つの物理チャネルは、複数のサービングセル（コンポーネントキャリア）のうち１つのサービングセル（コンポーネントキャリア）において送信される。
【００５０】
ここで、プライマリーセルは、ＰＵＣＣＨの送信に対して用いられる。また、プライマリーセルは、非活性化されない（primary cell cannot be deactivated）。また、クロスキャリアスケジューリングは、プライマリーに適用されない（Cross-carrier scheduling does not apply to primary cell）。すなわち、プライマリーセルは、常に、プライマリーセルにおけるＰＤＣＣＨを用いてスケジュールされる（primary cell is always scheduled via its PDCCH）。また、あるセカンダリーセルにおいてＰＤＣＣＨ（のモニタ）が設定された場合には、クロスキャリアスケジューリングは、該あるセカンダリーセルには適用されなくてもよい（In a case that （monitoring）PDCCH of a secondary cell is configured, cross-carries scheduling may not apply this secondary cell）。すなわち、この場合において、該セカンダリーセルは、常に、該セカンダリーセルにおけるＰＤＣＣＨを用いてスケジュールされてもよい。また、あるセカンダリーセルにおいてＰＤＣＣＨ（のモニタ）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００５１】
ここで、本実施形態において、ＰＵＣＣＨの送信のために用いられるセカンダリーセルを、ＰＵＣＣＨセカンダリーセル、および、スペシャルセカンダリーセルと称する。また、本実施形態において、ＰＵＣＣＨの送信のために用いられないセカンダリーセルを、非ＰＵＣＣＨセカンダリーセル、非スペシャルセカンダリーセル、非ＰＵＣＣＨサービングセル、および、非ＰＵＣＣＨセルと称する。また、プライマリーセルおよびＰＵＣＣＨセカンダリーセルを総称して、ＰＵＣＣＨサービングセル、および、ＰＵＣＣＨセルと称する。
【００５２】
ここで、ＰＵＣＣＨサービングセル（プライマリーセル、ＰＵＣＣＨセカンダリーセル）は、常に、下りリンクコンポーネントキャリア、および、上りリンクコンポーネントキャリアを持つ。また、ＰＵＣＣＨサービングセル（プライマリーセル、ＰＵＣＣＨセカンダリーセル）において、ＰＵＣＣＨのリソースが設定される。
【００５３】
また、非ＰＵＣＣＨサービングセル（非ＰＵＣＣＨセカンダリーセル）は、下りリンクコンポーネントキャリアのみを持ってもよい。また、非ＰＵＣＣＨサービングセル（非ＰＵＣＣＨセカンダリーセル）は、下りリンクコンポーネントキャリア、および、上りリンクコンポーネントキャリアを持ってもよい。
【００５４】
端末装置１は、ＰＵＣＣＨサービングセルにおいてＰＵＣＣＨでの送信を行う。すなわち、端末装置１は、プライマリーセルにおいてＰＵＣＣＨでの送信を行う。また、端末装置１は、ＰＵＣＣＨセカンダリーセルにおいてＰＵＣＣＨでの送信を行う。また、端末装置１は、非スペシャルセカンダリーセルにおいてＰＵＣＣＨでの送信を行わない。
【００５５】
ここで、ＰＵＣＣＨセカンダリーセルを、プライマリーセルおよびセカンダリーセルでないサービングセルとして定義してもよい。
【００５６】
すなわち、ＰＵＣＣＨセカンダリーセルは、ＰＵＣＣＨの送信に対して用いられる。また、ＰＵＣＣＨセカンダリーセルは、非活性化されなくてもよい（PUCCH secondary cell may not be deactivated）。ここで、後述するように、ＰＵＣＣＨセカンダリーセルは、活性化および／または非活性化されてもよい。
【００５７】
また、クロスキャリアスケジューリングは、ＰＵＣＣＨセカンダリーセルに適用されなくてもよい（Cross-carrier scheduling may not apply to PUCCH secondary cell）。すなわち、ＰＵＣＣＨセカンダリーセルは、常に、ＰＵＣＣＨセカンダリーセルにおけるＰＤＣＣＨを用いてスケジュールされてもよい（PUCCH secondary cell is always scheduled via its PDCCH）。ここで、クロスキャリアスケジューリングは、ＰＵＣＣＨセカンダリーセルに適用されてもよい（Cross-carrier scheduling may apply to PUCCH secondary cell）。すなわち、ＰＵＣＣＨセカンダリーセルは、１つの他のサービングセルにおけるＰＤＣＣＨを用いてスケジュールされてもよい。
【００５８】
例えば、ＰＵＣＣＨセカンダリーセルにおいてＰＤＣＣＨ（のモニタ）が設定された場合には、クロスキャリアスケジューリングは、該ＰＵＣＣＨセカンダリーセルには適用されなくてもよい（In a case that （monitoring）PDCCH of a PUCCH secondary cell is configured, cross-carries scheduling may not apply this PUCCH secondary cell）。すなわち、この場合において、該ＰＵＣＣＨセカンダリーセルは、常に、該ＰＵＣＣＨセカンダリーセルにおけるＰＤＣＣＨを用いてスケジュールされてもよい。また、ＰＵＣＣＨセカンダリーセルにおいてＰＤＣＣＨ（のモニタ）が設定されていない場合には、クロスキャリアスケジューリングが適用され、該ＰＵＣＣＨセカンダリーセルは、常に、１つの他のサービングセルにおけるＰＤＣＣＨを用いてスケジュールされてもよい。
【００５９】
ここで、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、下りリンクアサインメントに対するサービングセル（下りリンクアサインメントによってスケジュールされるＰＤＳＣＨでの送信（下りリンクの送信）が行なわれるサービングセル）が識別されてもよい。また、上りリンクと下りリンクとの間におけるリンキングに基づいて、上りリンクグラントに対するサービングセル（上りリンクグラントによってスケジュールされるＰＵＳＣＨでの送信（上りリンクの送信）が行なわれるサービングセル）が識別されてもよい。ここで、該下りリンクアサインメント、または、該上りリンクには、キャリアインディケータフィールドは存在しない。
【００６０】
すなわち、プライマリーセルにおいて受信した下りリンクアサインメントは、プライマリーセルにおける下りリンクの送信に対応する。また、プライマリーセルにおいて受信した上りリンクグラントは、プライマリーセルにおける上りリンクの送信に対応する。また、ＰＵＣＣＨセカンダリーセルにおいて受信した下りリンクアサインメントは、ＰＵＣＣＨセカンダリーセルにおける下りリンクの送信に対応してもよい。また、ＰＵＣＣＨセカンダリーセルにおいて受信した上りリンクグラントは、ＰＵＣＣＨセカンダリーセルにおける上りリンクの送信に対応してもよい。また、あるセカンダリーセル（ＰＵＣＣＨセカンダリーセル、および／または、非ＰＵＣＣＨセカンダリーセル）において受信した下りリンクアサインメントは、該あるセカンダリーセルにおける下りリンクの送信に対応してもよい。また、あるセカンダリーセル（ＰＵＣＣＨセカンダリーセル、および／または、非ＰＵＣＣＨセカンダリーセル）において受信した上りリンクグラントは、該あるセカンダリーセルにおける上りリンクの送信に対応してもよい。
【００６１】
以下、本実施形態の無線フレーム（radio frame）の構成について説明する。
【００６２】
図２は、本実施形態の無線フレームの概略構成を示す図である。無線フレームのそれぞれは、１０ｍｓ長である。図２において、横軸は時間軸である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６３】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００６４】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。１つのスペシャルサブフレーム内のＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６５】
単一の無線フレームは、少なくとも下りリンクサブフレーム、上りリンクサブフレーム、およびスペシャルサブフレームから構成される。
【００６６】
以下、本実施形態のスロットの構成について説明する。
【００６７】
図３は、本実施形態のスロットの構成を示す図である。本実施形態では、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。図３において、横軸は時間軸であり、縦軸は周波数軸である。
【００６８】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００６９】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００７０】
以下、サブフレームのそれぞれにおいて送信される物理チャネルおよび物理信号について説明する。
【００７１】
図４は、本実施形態の下りリンクサブフレームにおける物理チャネルおよび物理信号の配置の一例を示す図である。図４において、横軸は時間軸であり、縦軸は周波数軸である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００７２】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００７３】
図５は、本実施形態の上りリンクサブフレームにおける物理チャネルおよび物理信号の配置の一例を示す図である。図５において、横軸は時間軸であり、縦軸は周波数軸である。端末装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００７４】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。端末装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、端末装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００７５】
図６は、本実施形態のスペシャルサブフレームにおける物理チャネルおよび物理信号の配置の一例を示す図である。図６において、横軸は時間軸であり、縦軸は周波数軸である。図６において、ＤｗＰＴＳはスペシャルサブフレーム内の１番目から１０番目のＳＣ−ＦＤＭＡシンボルから構成され、ＧＰはスペシャルサブフレーム内の１１番目と１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００７６】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。基地局装置３は、スペシャルサブフレームのＤｗＰＴＳにおいて、ＰＢＣＨを送信しない。端末装置１は、スペシャルサブフレームのＵｐＰＴＳにおいて、ＰＲＡＣＨ、およびＳＲＳを送信してもよい。つまり、端末装置１は、スペシャルサブフレームのＵｐＰＴＳにおいて、ＰＵＣＣＨ、ＰＵＳＣＨ、およびＤＭＲＳを送信しない。
【００７７】
本実施形態において、複数のサービングセルのグループをＰＵＣＣＨセルグループと称する。あるサービングセルは、何れか１つのＰＵＣＣＨセルグループに属する。
【００７８】
１つのＰＵＣＣＨセルグループは、１つのＰＵＣＣＨサービングセルを含む。１つのＰＵＣＣＨセルグループは、１つのＰＵＣＣＨサービングセルのみを含んでもよい。１つのＰＵＣＣＨセルグループは、１つのＰＵＣＣＨサービングセル、および、１つまたは複数の非ＰＵＣＣＨサービングセルを含んでもよい。
【００７９】
プライマリーセルを含むＰＵＣＣＨセルグループを、プライマリーＰＵＣＣＨセルグループと称する。プライマリーセルを含まないＰＵＣＣＨセルグループを、セカンダリーＰＵＣＣＨセルグループと称する。すなわち、セカンダリーＰＵＣＣＨセルグループは、ＰＵＣＣＨセカンダリーセルを含む。例えば、プライマリーＰＵＣＣＨセルグループに対するインデックスは常に０として定義されてもよい。また、セカンダリーＰＵＣＣＨセルグループに対するインデックスは、基地局装置３（ネットワーク装置でもよい）によって設定されてもよい。
【００８０】
図７は、本実施形態におけるＰＵＣＣＨセルグループを説明する図である。
【００８１】
本実施形態において、図に示すように、例えば、３２までの下りリンクコンポーネントキャリア（下りリンクのセル、up to 32 downlink component carrier）のキャリアアグリゲーションがサポートされてもよい。すなわち、基地局装置３と端末装置１は、３２までのサービングセルにおいて、同時に複数の物理チャネルでの送信、および／または受信を行うことができる。ここで、上りリンクのコンポーネントキャリアの数は、下りリンクのコンポーネントキャリアの数よりも少なくてもよい。
【００８２】
例えば、基地局装置３は、ＰＵＣＣＨでの送信に関連するセルグループ（以下、ＰＵＣＣＨセルグループとも称する）を設定してもよい。例えば、ＰＵＣＣＨセルグループは、ＰＵＣＣＨでの上りリンク制御情報の送信に関連してもよい。図３は、ＰＵＣＣＨセルグループの設定（構成、定義）の例として、３つの例（Example (a)、Example (b)、Example (c)）を示している。ここで、ＰＵＣＣＨセルグループは、図７に示す例とは異なるように設定されてもよいことは勿論である。
【００８３】
例えば、基地局装置３は、ＰＵＣＣＨセルグループを設定するために用いられる情報が含まれる上位層の信号を送信してもよい。例えば、ＰＵＣＣＨセルグループを識別するためのインデックス（セルグループインデックス、情報）が設定（定義）され、基地局装置３が、ＰＵＣＣＨセルグループを識別するために用いられるインデックスが含まれる上位層の信号を送信してもよい。
【００８４】
図７（ａ）は、ＰＵＣＣＨセルグループとして、第１のＰＵＣＣＨセルグループ、第２のＰＵＣＣＨセルグループが設定されていることを示している。例えば、図７（ａ）において、基地局装置３は、第１のＰＵＣＣＨセルグループにおいて下りリンク信号を送信し、端末装置３は、第１のＰＵＣＣＨセルグループにおいて上りリンク信号を送信してもよい（第１のＰＵＣＣＨセルグループにおけるＰＵＣＣＨで上りリンク制御情報を送信してもよい）。例えば、第１のＰＵＣＣＨセルグループにおいて２０のサービングセル（下りリンクコンポーネントキャリア、下りリンクセルでもよい）が設定または活性化された場合には、該２０の下りリンクコンポーネントキャリアに対する上りリンク制御情報を送信してもよい。
【００８５】
すなわち、例えば、端末装置１は、２０の下りリンクコンポーネントキャリアに対応するＨＡＲＱ−ＡＣＫ（ＰＤＳＣＨでの送信に対するＨＡＲＱ−ＡＣＫ、トランスポートブロックに対するＨＡＲＱ−ＡＣＫ）を送信してもよい。また、端末装置１は、２０の下りリンクコンポーネントキャリアに対応するＣＳＩを送信してもよい。また、端末装置１は、ＰＵＣＣＨセルグループ毎にＳＲを送信してもよい。同様に、端末装置１は、第２のＰＵＣＣＨセルグループにおいて上りリンク制御情報を送信してもよい。
【００８６】
また、同様に、基地局装置３と端末装置１は、図７（ｂ）に示すようにＰＵＣＣＨセルグループを設定し、上りリンク制御情報を送受信してもよい。また、基地局装置３と端末装置１は、図７（ｃ）に示すようにＰＵＣＣＨセルグループを設定し、上りリンク制御情報を送受信してもよい。
【００８７】
基地局装置３は、ＰＵＣＣＨセカンダリーセルを指示するために用いられる情報を、上位層の信号、および／または、ＰＤＣＣＨ（ＰＤＣＣＨで送信される下りリンク制御情報）に含めて送信してもよい。端末装置１は、ＰＵＣＣＨセカンダリーセルを指示するために用いられる情報に基づいて、ＰＵＣＣＨセカンダリーセルを決定してもよい。
【００８８】
上述したように、ＰＵＣＣＨサービングセルのＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、ＣＳＩ（例えば、ピリオディックＣＳＩ）、および／または、ＳＲ）を送信するために用いられてもよい。
【００８９】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）は、該ＰＵＣＣＨセルグループに含まれるＰＵＣＣＨサービングセルにおけるＰＵＣＣＨを用いて送信される。
【００９０】
本実施形態は、ＨＡＲＱ−ＡＣＫのみに対して適用されてもよい。本実施形態は、ＣＳＩのみに対して適用されてもよい。本実施形態は、ＨＡＲＱ−ＡＣＫおよびＣＳＩに対して適用されてもよい。ＨＡＲＱ−ＡＣＫに対するＰＵＣＣＨセルグループと、ＣＳＩに対するＰＵＣＣＨセルグループは個別に定義されてもよい。ＨＡＲＱ−ＡＣＫに対するＰＵＣＣＨセルグループと、ＣＳＩに対するＰＵＣＣＨセルグループは共通であってもよい。
【００９１】
本実施形態におけるＵＬ−ＤＬ設定（uplink - downlink configuration, UL - DL configuration）について説明する。
【００９２】
ＵＬ−ＤＬ設定は、無線フレーム内におけるサブフレームのパターンに関する設定である。ＵＬ−ＤＬ設定は、無線フレーム内におけるサブフレームのそれぞれが、下りリンクサブフレーム、上りリンクサブフレーム、および、スペシャルサブフレームの何れであるかを示すものであり、好ましくは、ＤとＵとＳ（それぞれ下りリンクサブフレーム、上りリンクサブフレーム、および、スペシャルサブフレームを示す）の長さ１０となる任意の組み合わせで表現される。より好ましくは、先頭（つまりサブフレーム＃０）がＤで、２番目（つまりサブフレーム＃１）がＳである。
【００９３】
図８は、本実施形態におけるＵＬ−ＤＬ設定の一例を示す表である。図８において、Ｄは下りリンクサブフレームを示し、Ｕは上りリンクサブフレームを示し、Ｓはスペシャルサブフレームを示す。
【００９４】
以下、本実施形態における装置の構成について説明する。
【００９５】
図９は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、制御部１５、および、無線リソース制御部１６を含んで構成される。無線送受信部１０を送信部、または、受信部とも称する。
【００９６】
上位層処理部１４は、ユーザの操作等により生成された上りリンクデータ（トランスポートブロック）を、無線送受信部１０に出力する。また、上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００９７】
上位層処理部１４が備える無線リソース制御部１６は、自装置の各種設定情報／パラメータの管理をする。無線リソース制御部１６は、基地局装置３から受信した上位層の信号に基づいて各種設定情報／パラメータをセットする。すなわち、無線リソース制御部１６は、基地局装置３から受信した各種設定情報／パラメータを示す情報に基づいて各種設定情報／パラメータをセットする。
【００９８】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００９９】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１００】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１０１】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１０２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。
【０１０３】
図１０は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、制御部３５、および、無線リソース制御部３６を含んで構成される。無線送受信部３０を送信部、または、受信部とも称する。
【０１０４】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１０５】
上位層処理部３４が備える無線リソース制御部３６は、物理下りリンクチャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御部３６は、端末装置１各々の各種設定情報／パラメータの管理をする。無線リソース制御部３６は、上位層の信号を介して端末装置１各々に対して各種設定情報／パラメータをセットしてもよい。すなわち、無線リソース制御部３６は、各種設定情報／パラメータを示す情報を送信／報知する。
【０１０６】
無線送受信部３０の機能は、無線送受信部１０と同様であるため説明を省略する。
【０１０７】
しかしながら、無線送受信部１０の機能は、端末装置１毎に異なる。例えば、端末装置１毎に、キャリアアグリゲーションを適用可能なバンド（キャリア、周波数）の組み合わせは異なる。従って、端末装置１は、自装置がサポートしている機能を示す情報／パラメータ（能力情報、機能情報、端末能力情報、端末機能情報とも称される）UECapabilityInformationを基地局装置３に送信する。
【０１０８】
なお、「サポート」の意味は、該機能（または通信方式）を実現するために必要なハードウェア、および／または、ソフトウェアなどを端末装置１に実装し、３ＧＰＰにおいて規定された適合性試験（規格認証試験、Ｃｏｎｆｏｒｍａｎｃｅ  Ｔｅｓｔ）をパスしたことを意味する。
【０１０９】
図１１は、UECapabilityInformationの送信に関するシーケンスチャートである。UECapabilityInformationは、RRCメッセージであってもよい。
【０１１０】
基地局装置３は端末装置１に対してUECapabilityInformationの送信を要求する情報／パラメータUECapabilityEnquitryを送信する（Ｓ１１０）。
【０１１１】
UECapabilityEnquitryを受信した端末装置１は、UECapabilityInformationを基地局装置３に送信する（Ｓ１１１）。基地局装置３は受信したUECapabilityInformationに基づいて、端末装置１に対する設定を決定する（Ｓ１１２）。基地局装置３は、決定した設定に基づいて、端末装置１に対してＲＲＣコネクション再設定を行なう（Ｓ１１３）。
【０１１２】
これにより、基地局装置３は、端末装置１がサポートしている機能に基づいてセルラリンクのセルの設定を行なうことができる。
【０１１３】
図１２は、本実施形態においてUECapabilityInformationに含まれる情報／パラメータUE-EUTRA-Capabilityの構成の一部を示している。
【０１１４】
UE-EUTRA-Capabilityは、情報／パラメータRF-Parameters、情報／パラメータPhyLayerParameters-r11、および、PhyLayerParameters-r13を含む。ただし、RF-Parameters 、PhyLayerParameters-r11、および、PhyLayerParameters-r13はUE-EUTRA-Capability内の任意の情報に含まれてよい。例えば、PhyLayerParameters-r11はUE-EUTRA-Capabilityに含まれる情報／パラメータUE-EUTRA-Capability-r11に含まれ、PhyLayerParameters-r13はUE-EUTRA-Capability-r11に含まれる情報／パラメータUE-EUTRA-Capability-r13に含まれてもよい。
【０１１５】
RF-Parametersは、キャリアアグリゲーションを適用可能なバンドの組み合わせ（band combination）を示す情報／パラメータSupportedBandCombination を含む。以下、キャリアアグリゲーションを適用可能なバンドを、ＣＡバンドとも称する。また、キャリアアグリゲーションを適用不可能なバンド、または、キャリアアグリゲーションを適用可能であるが、キャリアアグリゲーションが適用されないときのバンドを、ｎｏｎ−ＣＡバンドとも称する。
【０１１６】
図１３は、本実施形態のSupportedBandCombination に含まれる情報／パラメータを示す図である。SupportedBandCombinationには、１つ、または、複数のBandCombinationParametersが含まれる。SupportedBandCombinationは、サポートされるＣＡバンドの組み合わせ、および、サポートされるｎｏｎ−ＣＡバンドを含む。
【０１１７】
BandCombinationParametersには、１つ、または、複数のBandParametersが含まれる。１つのBandCombinationParametersは、サポートされるＣＡバンドの組み合わせ、または、サポートされるｎｏｎ−ＣＡバンドを示す。例えば、BandCombinationParametersに複数のBandParametersが含まれる場合、該複数のBandParametersによって示されるＣＡバンドの組み合わせにおけるキャリアアグリゲーションを適用した通信がサポートされる。また、BandCombinationParametersに１つのBandParametersが含まれる場合、該１つのBandParametersによって示されるバンド（ｎｏｎ−ＣＡバンド）における通信がサポートされる。
【０１１８】
図１４は、本実施形態のBandParametersに含まれる情報／パラメータを示す図である。BandParametersには、bandEUTRA、bandParametersUL、および、bandParametersDLが含まれる。
【０１１９】
bandEUTRAは、FreqBandIndicatorを含む。FreqBandIndicatorはバンドを示す。FreqBandIndicatorが示すバンドにおいて端末装置１が上りリンク信号を送信する能力がない場合、BandParametersにbandParametersULは含まれない。FreqBandIndicatorが示すバンドにおいて端末装置１が下りリンク信号を受信する能力がない場合、BandParametersにbandParametersDLは含まれない。
【０１２０】
bandParametersULには、１つ、または、複数のCA-MIMO-ParametersULが含まれる。CA-MIMO-ParametersULには、ca-BandwidthClassUL、および、supportedMIMO-CapabilityULが含まれる。ca-BandwidthClassULは、CA-BandwidthClassを含む。
【０１２１】
supportedMIMO-CapabilityULは、上りリンクにおいて空間多重（spatial multiplexing）に対してサポートされるレイヤの数を示す。上りリンクにおいて空間多重をサポートしない場合、CA-MIMO-ParametersULにsupportedMIMO-CapabilityULは含まれない。
【０１２２】
bandParametersDLには、１つ、または、複数のCA-MIMO-ParametersDLが含まれる。CA-MIMO-ParametersDLには、ca-BandwidthClassDL、および、supportedMIMO-CapabilityDLが含まれる。ca-BandwidthClassDLは、CA-BandwidthClassを含む。
【０１２３】
supportedMIMO-CapabilityDLは、下りリンクにおいて空間多重（spatial multiplexing）に対してサポートされるレイヤの数を示す。下りリンクにおいて空間多重をサポートしない場合、CA-MIMO-ParametersDLにsupportedMIMO-CapabilityULは含まれない。
【０１２４】
CA-BandwidthClassは、上りリンク、または、下りリンクにおいて、端末装置１によってサポートされるＣＡ帯域幅クラスを示す。CA-BandwidthClassULは、上りリンクにおいて、端末装置１によってサポートされるＣＡ帯域幅クラスに対応する。CA-BandwidthClassDLは、下りリンクにおいて、端末装置１によってサポートされるＣＡ帯域幅クラスに対応する。ＣＡ帯域幅クラスは、FreqBandIndicatorが示すバンドにおいて端末装置１が同時に設定可能なセルの数、および、FreqBandIndicatorが示すバンドにおいて同時に設定されたセルの帯域幅の合計などによって定義される。例えば、ＣＡ帯域幅クラスａは、２０ＭＨｚ以下の１つのセルが設定可能であることを示す。
【０１２５】
図１５は、本実施形態のRF-Parametersの一例を示す図である。例えば、RF-Parametersには、１つのSupportedBandCombinationが含まれる。上述したように、SupportedBandCombinationには、１つ、または、複数のBandCombinationParametersが含まれる。また、BandCombinationParametersには、１つ、または、複数のBandParametersが含まれる。
【０１２６】
ＢＣＰ１００のBandCombinationParametersは、Ｂａｎｄ  Ａにおいて１つのセルで上りリンクにおける送信が可能であり、Ｂａｎｄ  Ａにおいて１つのセルで下りリンクにおける送信が可能であることを示している。すなわち、ＢＣＰ１００のBandCombinationParametersは、Ｂａｎｄ  Ａにおいて１つのセルをサポートしていることを示している。また、ＢＣＰ１００のBandCombinationParametersは、Ｂａｎｄ  Ａの下りリンクにおいて空間多重に対して２つのレイヤがサポートされることを示している。また、ＢＣＰ１００のBandCombinationParametersは、Ｂａｎｄ  Ａの上りリンクにおいて空間多重がサポートされていないことを示している。
【０１２７】
ＢＣＰ３００のBandCombinationParametersは、Ｂａｎｄ  Ａにおいて１つのセルで上りリンクにおける送信が可能であり、Ｂａｎｄ  Ａにおいて１つのセルで下りリンクにおける送信が可能であり、Ｂａｎｄ  Ｂにおいて１つのセルで下りリンクにおける送信が可能であることを示している。すなわち、ＢＣＰ１００のBandCombinationParametersは、Ｂａｎｄ  Ａにおける１つのプライマリーセル、および、Ｂａｎｄ  Ｂにおける上りリンクをともなわない１つのセカンダリーセルの組み合わせがサポートされていることを示している。また、ＢＣＰ３００のBandCombinationParametersは、Ｂａｎｄ  Ａの下りリンクにおける空間多重、Ｂａｎｄ  Ｂの下りリンクにおける空間多重、および、Ｂａｎｄ  Ａの上りリンクにおける空間多重がサポートされていないことを示している。
【０１２８】
PhyLayerParameters-r11は、端末装置１がバンド間でのＴＤＤキャリアアグリゲーションをサポートする場合（例えば、SupportedBandCombinationにＴＤＤ方式を用いる複数のバンドの組み合わせをサポートするBandCombinationParametersが含まれる場合）に、情報／パラメータinterBandTDD-CA-WithDifferentConfigを含んでよい。interBandTDD-CA-WithDifferentConfigは異なるＵＬ−ＤＬ設定の組み合わせを用いるバンド間ＴＤＤキャリアアグリゲーションを端末装置１がサポートするかを示す。
【０１２９】
ただし、interBandTDD-CA-WithDifferentConfigは、同一セルグループ内の複数のサービングセルを対象として適用されてもよい。すなわち、interBandTDD-CA-WithDifferentConfigは、端末装置１が、同一のセルグループに含まれる第１のバンドのサービングセルと第２のバンドのサービングセルとで異なるＵＬ−ＤＬ設定の組み合わせを用いるバンド間ＴＤＤキャリアアグリゲーションをサポートするか否かを示してもよい。
【０１３０】
interBandTDD-CA-WithDifferentConfigは2ビットで示される。最初のビットは、セカンダリーセルの下りリンクサブフレームがプライマリーセルの下りリンクサブフレームのサブセットとなるようなＵＬ−ＤＬ設定の組み合わせと、セカンダリーセルの下りリンクサブフレームがプライマリーセルの下りリンクサブフレームのスーパーセットとなるＵＬ−ＤＬ設定の組み合わせと、を端末装置１がサポートするかを示す。２つめのビットはセカンダリーセルの下りリンクサブフレームがプライマリーセルの下りリンクサブフレームのサブセットでもスーパーセットでもないＵＬ−ＤＬ設定の組み合わせを端末装置１がサポートするかを示す。例えばプライマリーセルのＵＬ−ＤＬ設定が図８で示されるＵＬ−ＤＬ設定２であった場合、セカンダリーセルの下りリンクサブフレームがプライマリーセルの下りリンクサブフレームのサブセットとなるＵＬ−ＤＬ設定は図８で示されるＵＬ−ＤＬ設定０、１および６であり、セカンダリーセルの下りリンクサブフレームがプライマリーセルの下りリンクサブフレームのスーパーセットとなるＵＬ−ＤＬ設定は図８で示されるＵＬ−ＤＬ設定５であり、セカンダリーセルの下りリンクサブフレームがプライマリーセルの下りリンクサブフレームのサブセットでもスーパーセットでもないＵＬ−ＤＬ設定は図８で示されるＵＬ−ＤＬ設定３および４である。
【０１３１】
PhyLayerParameters-r13は、端末装置１がバンド間でのＴＤＤキャリアアグリゲーションをサポートし、かつ２つ以上のＰＵＣＣＨサービングセルがアグリゲートされることをサポートする場合に、情報／パラメータmultiPUCCHgroup-WithDifferentConfigを含んでよい。ただし、multiPUCCHgroup-WithDifferentConfigは、端末装置１が、バンド間でのＴＤＤキャリアアグリゲーションをサポートし、かつ２つ以上のＰＵＣＣＨサービングセルが異なる２つ以上のバンドに渡りアグリゲートされることをサポートする場合にのみPhyLayerParameters-r13に含まれてもよい。ただし、multiPUCCHgroup-WithDifferentConfigは、端末装置１が、バンド間でのＴＤＤキャリアアグリゲーションをサポートし、２つ以上のＰＵＣＣＨセルグループがアグリゲートされることをサポートする場合にPhyLayerParameters-r13に含まれてもよい。
【０１３２】
情報／パラメータmultiPUCCHgroup-WithDifferentConfigは、端末装置１が、異なるＵＬ−ＤＬ設定の組み合わせの複数のＰＵＣＣＨセルグループのＴＤＤキャリアアグリゲーションをサポートするか否かを示す。ただし、同一バンドのサービングセルでは同一のＵＬ−ＤＬ設定が設定されるため、multiPUCCHgroup-WithDifferentConfigの値に関わらず、同一のバンド内のサービングセルでは異なるＵＬ−ＤＬ設定を設定することをサポートしない。
【０１３３】
multiPUCCHgroup-WithDifferentConfigは、１ビットの情報で送信されてもよい。当該ビットが１である場合、端末装置１は異なるＵＬ−ＤＬ設定が割り当てられるＰＵＣＣＨセルグループ間のＴＤＤキャリアアグリゲーションをサポートしていることを示す。
【０１３４】
ただし、multiPUCCHgroup-WithDifferentConfigは、interBandTDD-CA-WithDifferentConfigにおいて異なるＵＬ−ＤＬ設定の組み合わせを用いるバンド間ＴＤＤキャリアアグリゲーションをサポートしない端末装置１においても、異なるＰＵＣＣＨセルグループ間においては異なるＵＬ−ＤＬ設定の組み合わせを用いるバンド間ＴＤＤキャリアアグリゲーションをサポートすることを示す情報／パラメータであってよい。
【０１３５】
ただし、本実施形態では、multiPUCCHgroup-WithDifferentConfigは１ビットであるものとして説明するが、multiPUCCHgroup-WithDifferentConfigは、複数ビットの情報で送信されてもよい。例えば２ビットで送信される場合、multiPUCCHgroup-WithDifferentConfigの最初のビットは、第２のＰＵＣＣＨセルグループに属する各サービングセルの下りリンクサブフレームが第１のＰＵＣＣＨセルグループに属する各サービングセルの下りリンクサブフレームのサブセットとなるようなＵＬ−ＤＬ設定の組み合わせと、第２のＰＵＣＣＨセルグループに属する各サービングセルの下りリンクサブフレームが第１のＰＵＣＣＨセルグループに属する各サービングセルの下りリンクサブフレームのスーパーセットとなるＵＬ−ＤＬ設定の組み合わせと、を端末装置１がサポートするかを示してもよい。multiPUCCHgroup-WithDifferentConfigの２つめのビットは第２のＰＵＣＣＨセルグループに属する各サービングセルの下りリンクサブフレームが第１のＰＵＣＣＨセルグループに属する各サービングセルの下りリンクサブフレームのサブセットでもスーパーセットでもないＵＬ−ＤＬ設定の組み合わせを端末装置１がサポートするかを示してもよい。
【０１３６】
interBandTDD-CA-WithDifferentConfigで示される２ビットが共に１である場合、異なるバンドのサービングセル間で異なるＵＬ−ＤＬ設定が設定されることをサポートしているため、multiPUCCHgroup-WithDifferentConfigは１であることが保障される。したがって、この場合には端末装置１はmultiPUCCHgroup-WithDifferentConfigを送信しなくてもよい。もしくは、multiPUCCHgroup-WithDifferentConfigを送信してもよく、interBandTDD-CA-WithDifferentConfigに含まれる２ビットが共に１である場合にmultiPUCCHgroup-WithDifferentConfigが０である端末能力情報を受信した基地局装置３は当該ビットが誤りであると判定し、例外処理を行なってもよい（例えば、端末装置１に当該端末能力情報の再送を要求してもよい）。
【０１３７】
また、interBandTDD-CA-WithDifferentConfigで示される２ビットのいずれかが１であり、かつmultiPUCCHgroup-WithDifferentConfigが０である場合、端末装置１は、ＰＵＣＣＨセルグループに関わらず異なるバンドのサービングセル間に対しinterBandTDD-CA-WithDifferentConfigに含まれるビットの値に応じたＵＬ−ＤＬ設定の組み合わせをサポートする。
【０１３８】
また、interBandTDD-CA-WithDifferentConfigで示される２ビットのいずれかが１であり、かつmultiPUCCHgroup-WithDifferentConfigが１である場合、端末装置１は、異なるＰＵＣＣＨセルグループのサービングセルでは異なるＵＬ−ＤＬ設定をサポートし、同一のＰＵＣＣＨセルグループ内の異なるバンドのサービングセルに対してはinterBandTDD-CA-WithDifferentConfigに含まれるビットの値に応じたＵＬ−ＤＬ設定の組み合わせをサポートする。
【０１３９】
また、interBandTDD-CA-WithDifferentConfigで示される２ビットが共に０であり、かつmultiPUCCHgroup-WithDifferentConfigが０である場合、端末装置１は異なるバンドのサービングセル間および異なるＰＵＣＣＨセルグループのサービングセル間で異なるＵＬ−ＤＬ設定を設定することをサポートしない。ただし、同一のＰＵＣＣＨセルグループ内に複数のバンドが含まれる場合、当該ＰＵＣＣＨセルグループ内では同一のＵＬ−ＤＬ設定が設定される。
【０１４０】
また、interBandTDD-CA-WithDifferentConfigで示される２ビットが共に０であり、かつmultiPUCCHgroup-WithDifferentConfigが１である場合、端末装置１は、異なるＰＵＣＣＨセルグループにおいて異なるバンドのサービングセル毎に異なるＵＬ−ＤＬ設定を設定することをサポートし、同一のＰＵＣＣＨセルグループにおいて異なるバンドのサービングセル間で異なるＵＬ−ＤＬ設定を設定することをサポートしない。
【０１４１】
ただし、同一のＰＵＣＣＨセルグループ内に複数のバンドが含まれる場合、当該ＰＵＣＣＨセルグループ内では同一のＵＬ−ＤＬ設定が設定されるように定められてもよい。
【０１４２】
ただし、上述したmultiPUCCHgroup-WithDifferentConfigは、１ビットを用いて送信され、端末装置１で１つの設定となるような設定／パラメータとして説明したが、例えばサポートするバンド毎あるいはサポートするバンドの組み合わせ毎に設定されてもよい。
【０１４３】
ただし、上述したUECapabilityInformationは、上述した情報／パラメータによって示されない、端末装置１がサポートするあるいはサポートしない機能について示してもよい。また、上述したUECapabilityInformationには上述した情報／パラメータ以外の情報／パラメータが含まれてもよい。
【０１４４】
例えば、UECapabilityInformationは、端末装置１がプライマリーセル以外のサービングセル（ＰＵＣＣＨセカンダリーセル）において、ＰＵＣＣＨの送信をサポートするか否かを示してもよい。
【０１４５】
また、UECapabilityInformationは、端末装置１がプライマリーセル以外のサービングセル（ＰＵＣＣＨセカンダリーセル）において、ＰＵＣＣＨの送信をサポートするか否かを示す情報／パラメータを含んでもよい。
【０１４６】
また、UECapabilityInformationは、端末装置１が異なるサービングセル（複数のサービングセル）における複数のＰＵＣＣＨの同時送信をサポートするか否かを示してもよい。
【０１４７】
また、UECapabilityInformationは、端末装置１が異なるサービングセル（複数のサービングセル）における複数のＰＵＣＣＨの同時送信をサポートするか否かを示す情報を含んでもよい。
【０１４８】
また、UECapabilityInformationは、端末装置１が異なるサービングセル（複数のサービングセル）において、何個までのＰＵＣＣＨの同時送信をサポートするかを示してもよい。
【０１４９】
また、UECapabilityInformationは、端末装置１が異なるサービングセル（複数のサービングセル）において、何個までのＰＵＣＣＨの同時送信をサポートするかを示す情報を含んでもよい。
【０１５０】
また、UECapabilityInformationは、端末装置１がＰＵＣＣＨとＰＵＳＣＨの同時送信をサポートするか否かを示してもよい。
【０１５１】
また、UECapabilityInformationは、端末装置１がＰＵＣＣＨとＰＵＳＣＨの同時送信をサポートするか否かを示す情報を含んでもよい。
【０１５２】
また、UECapabilityInformationは、端末装置１が１つのサービングセル（コンポーネントキャリア）内におけるマルチクラスターＰＵＳＣＨ送信をサポートするか否かを示してもよい。
【０１５３】
また、UECapabilityInformationは、端末装置１が１つのサービングセル（コンポーネントキャリア）内におけるマルチクラスターＰＵＳＣＨ送信をサポートするか否かを示す情報を含んでもよい。
【０１５４】
ただし、上述したUECapabilityInformationに含まれる情報／パラメータは、各々、端末装置１がサポートするバンド毎に適用されてもよい。すなわち、上述したUECapabilityInformationに含まれる情報／パラメータは、各々、端末装置１がサポートするバンド毎に異なる情報であってもよい。
【０１５５】
ただし、上述したUECapabilityInformationに含まれる情報／パラメータは、各々、端末装置１がサポートするバンドの組み合わせ（例えば、BandCombinationParametersで示されるバンドの組み合わせ）毎に適用されてもよい。すなわち、上述したUECapabilityInformationに含まれる情報／パラメータは、各々、端末装置１がサポートするバンドの組み合わせ（例えば、BandCombinationParametersで示されるバンドの組み合わせ）毎に異なる情報であってもよい。
【０１５６】
ただし、上述したUECapabilityInformationに含まれる情報／パラメータは、端末装置１がサポートするバンドあるいはバンドの組み合わせで共通に（band agnostic）適用されてもよい。すなわち、上述したUECapabilityInformationに含まれる情報／パラメータは、各々、端末装置１がサポートするバンドあるいはバンドの組み合わせで共通の（band agnostic）情報であってもよい。
【０１５７】
以上より、本実施形態の端末装置１は下記の様な特徴を有してよい。
【０１５８】
本実施形態の端末装置１は基地局装置３と通信する端末装置１であって、第１のセルグループ（第１のＰＵＣＣＨセルグループとも称される）に含まれる複数のサービングセルにおける物理下りリンク共用チャネル（ＰＵＳＣＨ）に対するＨＡＲＱ−ＡＣＫを、前記第１のセルグループに含まれる第１のサービングセルにおける物理上りリンク制御チャネル（ＰＵＣＣＨ）を用いて、前記基地局装置３に送信し、第２のセルグループ（第２のＰＵＣＣＨセルグループとも称される）に含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記基地局装置３に送信し、前記端末装置１が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーション（inter-band TDD CAとも称される）をサポートするか否かを示すinterBandTDD-CA-WithDifferentConfig（ここでは第１の情報と称する）と、前記端末装置１が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーション（inter-PUCCHgroup TDD CAとも称される）をサポートするか否かを示すmultiPUCCHgroup-WithDifferentConfig（ここでは第２の情報と称する）と、を含むUECapabilityInformation（ここでは能力情報と称する）を前記基地局装置３に送信する送信部を備える。
【０１５９】
また、本実施形態の端末装置１において、前記第２のセルグループに含まれるサービングセルは、前記第１のバンドとは異なるバンドのサービングセルであってもよい。
【０１６０】
また、本実施形態の基地局装置３は下記のような特徴を有してよい。
【０１６１】
本実施形態の基地局装置３は、端末装置１と通信する基地局装置３であって、第１のセルグループに含まれる複数のサービングセルにおける物理下りリンク共用チャネルに対するＨＡＲＱ−ＡＣＫを、前記第１のセルグループに含まれる第１のサービングセルにおける物理上りリンク制御チャネルを用いて、前記端末装置から受信し、第２のセルグループに含まれる複数のサービングセルにおける物理下りリンク共用チャネルに対するＨＡＲＱ−ＡＣＫを、前記第２のセルグループに含まれる第２のサービングセルにおける物理上りリンク制御チャネルを用いて、前記端末装置から受信し、前記端末装置が前記第１のセルグループに含まれる第１のバンドのサービングセルと、前記第１のセルグループに含まれる第２のバンドのサービングセルと、で異なるＵＬ−ＤＬ設定の組み合わせを用いるバンド間ＴＤＤキャリアアグリゲーションをサポートするか否かを示す第１の情報と、前記端末装置が前記第１のセルグループに含まれる前記第１のバンドのサービングセルと、前記第２のセルグループに含まれるサービングセルと、で異なるＵＬ−ＤＬ設定の組み合わせを用いるセルグループ間のＴＤＤキャリアアグリゲーションをサポートするか否かを示す第２の情報と、を含む能力情報を前記端末装置から受信する受信部を備える。
【０１６２】
また、本実施形態の基地局装置３において、前記第２のセルグループに含まれるサービングセルは、前記第１のバンドとは異なるバンドのサービングセルであってもよい。
【０１６３】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１６４】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１６５】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６６】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６７】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１６８】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１６９】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１７０】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１７１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１７２】
本発明のいくつかの態様は、複数のセル（コンポーネントキャリア）を用いて効率的に通信することが必要な端末装置、基地局装置、集積回路、および、通信方法などに適用することができる。
【符号の説明】
【０１７３】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  制御部
１６  無線リソース制御部
３０  無線送受信部
３１  アンテナ部
３２  ＲＦ部
３３  ベースバンド部
３４  上位層処理部
３５  制御部
３６  無線リソース制御部
【図１】
2016121850.tif 000003
【図２】
2016121850.tif 000004
【図３】
2016121850.tif 000005
【図４】
2016121850.tif 000006
【図５】
2016121850.tif 000007
【図６】
2016121850.tif 000008
【図７】
2016121850.tif 000009
【図８】
2016121850.tif 000010
【図９】
2016121850.tif 000011
【図１０】
2016121850.tif 000012
【図１１】
2016121850.tif 000013
【図１２】
2016121850.tif 000014
【図１３】
2016121850.tif 000015
【図１４】
2016121850.tif 000016
【図１５】
2016121850.tif 000017
【国際調査報告】
2016121850.tif 000018
2016121850.tif 000019
2016121850.tif 000020
2016121850.tif 000021